(57)【要約】  【課題】例えば両足で胡坐を組んだり片足のみ胡坐を組むといった様々な足の姿勢を含めた多様な座姿勢に対応可能な椅子を提供する。  【解決手段】通常の座姿勢及び他の座姿勢に対応し得るように構成した椅子Ｃであって、座本体３と、前記座本体３の前端側に設けた補助座４と、前記補助座４を前記座本体３に隣接させた隣接保持位置（Ｐ１）または離間させた離間保持位置（Ｐ２）で保持する保持装置５とを具備するようにした。【選択図】図４
2006149954.tif 000002
【特許請求の範囲】
【請求項１】
通常の座姿勢及び他の座姿勢に対応し得るように構成した椅子であって、
座本体と、前記座本体の前端側に設けた補助座と、前記補助座を前記座本体に隣接させた隣接保持位置または離間させた離間保持位置で保持する保持装置とを具備することを特徴とする椅子。
【請求項２】
前記座本体側に、前記保持装置を前後方向にスライド移動可能に支持するスライド支持部を設け、
前記保持装置をこのスライド支持部にスライドさせることにより、前記隣接保持位置または離間保持位置に位置付け得るようにしていることを特徴とする請求項１記載の椅子。
【請求項３】
前記保持装置が、前記補助座を回動可能に支持する回動支持部を具備し、前記補助座を回動支持部に回動させることにより、前記補助座が、その座面と座本体の座面とが略面一となる面一状態又は当該補助座の先端側が起き上がった前上がり状態を取るようにしていることを特徴とする請求項１または２記載の椅子。
【請求項４】
前記回動支持部が、前記面一状態にある補助座を、前記前上がり状態を取る向きに回動することを許容する一方、その反対の向きに回動することを許容しないものであることを特徴とする請求項３記載の椅子。
【請求項５】
前記補助座が、硬さの異なる２種類のクッション材とこれらクッション材を支持する基体とを具備し、２種類のクッション材のうち硬い方のクッション材を基体の上に配し、軟らかい方のクッション材を硬い方のクッション材の上に配していることを特徴とする請求項１乃至４いずれか記載の椅子。
【請求項６】
前記補助座が、下端側を部分円弧状に湾曲させた、断面視略かまぼこ形状のものであることを特徴とする請求項５記載の椅子。
【請求項７】
前記離間保持位置に位置付けた補助座と前記座本体とを平面視した際に、これら補助座と座本体との間に配される中間座を前記保持装置に設けていることを特徴とする請求項１乃至６いずれか記載の椅子。
【発明の詳細な説明】
【技術分野】
【０００１】
本発明は、様々な座姿勢に対応可能な椅子に関するものである。
【背景技術】
【０００２】
従来から、通常の座姿勢に限らず他の座姿勢に対応可能に構成した椅子が知られている。
【０００３】
具体的にこの種の椅子は、支持基部と、この支持基部に枢支されて前後方向に傾動可能な背枠と、前記支持基部上に配設されこの支持基部に枢着されたリンク板の上部に前端側が枢支されて前後方向に移動可能な座部と、前記背枠の後傾動作を座部の前進動作に変換する動作変換手段と、前記座部を支持基部に対し後方に弾性付勢して前記背枠を前方へ回動付勢するバネとを具備し、背枠の前方への回動が係止されるまで座部を後退させた標準位置において、前記リンク板の支持基部への枢着位置と座部への連繋位置とを結ぶ仮想線が後傾するように設定されている（例えば、特許文献１参照。）。
【特許文献１】特開平８−３８２９４号公報
【発明の開示】
【発明が解決しようとする課題】
【０００４】
しかしながら、従来の構成では、両足を床面に置き且つ背を背もたれに寄り掛からせる所謂通常の座姿勢には対応し得るものの、両足で胡坐を組んだり片足のみを椅子の座面に載せたりするといった座姿勢には対応するものではない。
【０００５】
本発明は、このような課題に着目してなされたものであって、主たる目的は、通常の座姿勢に限らず例えば両足で胡坐を組んだり片足のみ胡坐を組むといった多様な座姿勢に対応可能な椅子を提供することにある。
【課題を解決するための手段】
【０００６】
すなわち、本発明の椅子は、通常の座姿勢及び他の座姿勢に対応し得るように構成した椅子であって、座本体と、前記座本体の前端側に設けた補助座と、前記補助座を前記座本体に隣接させた隣接保持位置または離間させた離間保持位置で保持する保持装置とを具備することを特徴とする。
【０００７】
このようなものであれば、例えば、通常の座姿勢の際には、補助座を隣接保持位置に位置付ければこの補助座が邪魔にならずに使用でき、また、胡坐や片足胡坐の座姿勢の際には、補助座を離間保持位置に位置付ければ、補助座がくるぶしや足の裏等を支えるので、快適に座れて使用感が良い。
【０００８】
すなわち、様々な着座姿勢に対応して快適に着座可能な椅子を提供することができる。
【０００９】
なお、簡単な構成で保持装置を隣接保持位置または離間保持位置に位置付けるには、前記座本体側に、前記保持装置を前後方向にスライド移動可能に支持するスライド支持部を設け、前記保持装置をこのスライド支持部にスライドさせることにより、前記隣接保持位置または離間保持位置に位置付けることが好ましい。
【００１０】
補助座に載せた足を安定保持するには、前記保持装置が、前記補助座を回動可能に支持する回動支持部を具備し、前記補助座を回動支持部に回動させることにより、前記補助座が、その座面と座本体の座面とが略面一となる面一状態又は当該補助座の先端側が起き上がった前上がり状態を取るようにしていることが望ましい。
【００１１】
その際、補助座の先端側から足が脱落するといった不具合を防止するには、前記回動支持部が、前記面一状態にある補助座を、前記前上がり状態を取る向きに回動することを許容する一方、その反対の向きに回動することを許容しないものであることが好ましい。
【００１２】
前記補助座が、硬さの異なる２種類のクッション材とこれらクッション材を支持する基体とを具備し、２種類のクッション材のうち硬い方のクッション材を基体の上に配し、軟らかい方のクッション材を硬い方のクッション材の上に配しているのであれば、例えば、柔らかい方のクッション材が当該柔らかい方のクッション材に落ち込んだくるぶしを保持し、また、硬い方のクッション材がくるぶしで基体に当接したことを感じるといった底着感を防止するので、好適な着座感を得られる。
【００１３】
その際、前記補助座が、下端側を部分円弧状に湾曲させた、断面視略かまぼこ形状のものであれば、くるぶしや踵等の形状と対応して、これらを好適に支持することができる。
【００１４】
前記離間保持位置に位置付けた補助座と前記座本体とを平面視した際に、これら補助座と座本体との間に配される中間座を前記保持装置に設けているのであれば、離間保持位置に位置付けた補助座と座本体との間に足が入り込むような座姿勢を取っても、中間座がその足を支持するので、例えば、足が床に着いてしまうといった不具合を防止することができる。
【発明の効果】
【００１５】
以上説明したように本発明の椅子によれば、例えば、通常の座姿勢の際には、補助座を隣接保持位置に位置付ければこの補助座が邪魔にならずに使用でき、また、胡坐や片足胡坐の座姿勢の際には、補助座を離間保持位置に位置付ければ、補助座がくるぶしや足の裏等を支えるので、快適に座れて使用感が良い。
【００１６】
すなわち、様々な着座姿勢に対応して快適に着座可能な椅子を提供することができる。
【発明を実施するための最良の形態】
【００１７】
以下、本発明の一実施形態を、図面を参照して説明する。
【００１８】
本実施形態に係る椅子Ｃは、図１、図２、図３、図４に示すように、左右一対の第１フレーム１と、各第１フレーム１の外側に配される第２フレーム２と、前記第１フレーム１間に支持される座本体３と、この座本体３の前端側に設けた補助座４と、補助座４を座本体３に隣接させた隣接保持位置（Ｐ１）または離間させた離間保持位置（Ｐ２）で保持する保持装置５と、保持装置５の移動を選択的に許容するための操作部６と、前記第１フレーム１間に支持される背もたれ７とを具備している。以下、各部を詳述する。
【００１９】
第１フレーム１は、床面（図示せず）に接地して脚を成し反使用端側上方に向けて伸びる前脚部１１と、この前脚部１１の上端を水平方向に屈曲させてなり且つ座部を支持する座部支持部１２と、この座部支持部１２の基端を略鉛直方向に屈曲させてなり且つ背もたれ７を支持する背もたれ支持部１３とを具備し、これら各部を丸パイプの塑性変形加工により形成している。
【００２０】
第２フレーム２は、床面（図示せず）に接地して脚を成し使用端側上方に向けて伸びる後脚部２１と、この後脚部２１の上端を水平方向に屈曲させてなり肘掛として機能する肘掛部２２とを具備し、これら各部を、前記第１フレーム１と同様に、丸パイプの塑性変形加工により形成している。
【００２１】
座本体３は、図４等に示すように、下側座本体３１及び上側座本体３２と、下側座本体３１に設けられ保持装置５をスライド移動可能に支持するスライド支持部３３を備えるものである。
【００２２】
下側座本体３１は、合成樹脂や木材等の比較的剛性のある素材で形成したものであって、前端側を後端側よりも厚肉にさせるべくこれら前端側と後端側とをなだらかに連続させている。
【００２３】
上側座本体３２は、下側座本体３１と略重合する形状を有し且つウレタンフォーム等の比較的弾力性のある素材で形成したものであって、後端側を前端側よりも厚肉にさせるべくこれら前端側と後端側とをなだらかに連続させている。なお、本実施形態では、正座時の足の甲と対応させ無理な力がかからないように、上側座本体３２の後端部を側面視部分円弧状に形成するとともに、上側座本体３２の後端縁が、背もたれ７の背もたれ点Ｔ（図２参照）よりも後方に突出するようにしている。ここで背もたれ点Ｔとは、背もたれ７における、着座した使用者の背荷重による圧力分布が最大となる点である。
【００２４】
スライド支持部３３は、図４等に示すように、下側座本体３１の幅と略等しい幅寸法を有する水平板３３１と、この水平板３３１の両側縁を略直角に起立させた一対の起立板３３２と、起立板３３２の上端縁を内側へ略直角に屈曲させた鍔部３３３とを具備し、これら各部を板金素材の塑性変形加工などにより一体に形成している。そして、本実施形態では、水平板３３１と一対の起立板３３２とで囲まれる空間内に、保持装置５を位置付けられるように構成している。すなわち、水平板３３１の幅寸法を、保持装置５の幅寸法よりも略大きく構成すると共に、起立板３３２の高さ寸法を、保持装置５の後述する起立壁本体５１１の高さ寸法よりも略大きく構成している。また、水平板３３１の略中央に、前側から後側にかけて伸び後述する操作部６のネジ部６１を挿通するための長孔３３１ａを穿設している。なお、本実施形態では、この長孔３３１ａの長手方向の寸法（換言すれば、補助座４のスライド量）を１８０ｍｍに設定している。
【００２５】
補助座４は、硬さの異なる２種類のクッション材４１ａ、４１ｂと、これらクッション材４１ａ、４１ｂを支持する基体４２と、基体４２の両端側を屈曲起立させた一対の側板４３とを具備するものであって、下端側を部分円弧状に湾曲させた、断面視略かまぼこ形状を有している。なお、本実施形態では、図５に示すように、２種類のクッション材４１ａ、４１ｂのうち硬い方のクッション材４１ａを基体４２の上に配し、軟らかい方のクッション材４１ｂを硬い方のクッション材４１ａの上に配している。そして、各側板４３には、後述する保持装置５の支持孔５１２ａに回動支持される回動軸４３１と、後述する保持装置５のガイド孔５１２ｂに案内される突設ピン４３２とを設けている。これら支持孔５１２ａ及び回動軸４３１とガイド孔５１２ｂ及び突設ピン４３２とが、回動支持部Ｘとして機能する。
【００２６】
保持装置５は、一対の起立壁５１と、この起立壁５１の前・中・後端部間にそれぞれ横架させた前横架材５２・中横架材５３・後横架材５４と、前横架材５２と中横架材５３に支持させた中間座５５とを具備している。
【００２７】
起立壁５１は、側面視横長略矩形状の起立壁本体５１１と、この起立壁本体５１１の前端上側に連続して突設した側面視略台形状の突設片５１２とを備えている。なお、突設片５１２の上端縁は、起立壁本体５１１からの突出寸法が、前端側から後端側に向けて漸次小さくなるように構成してある。そして、この突設片５１２の前側上端部には、肉厚方向に穿設した円形状の支持孔５１２ａ及び部分円弧状のガイド孔５１２ｂを配している。
【００２８】
前横架材５２は、底壁５２１とこの底壁５２１の前端を略直角に屈曲起立させた前壁５２２とを有する断面視略Ｌ字状のものであって、底壁５２１で前記中間座５５を支持するようにしている。
【００２９】
中横架材５３は、底板５３１とこの底板５３１の後端を略直角に屈曲起立させた後板５３２とを有する断面視略Ｌ字状のものであって、底板５３１で前記中間座５５を支持するようにしている。また、本実施形態では、後述する操作部６のネジ部６１に螺合されるナット部５３１ｎを設けている。
【００３０】
操作部６は、前記スライド支持部３３の長孔３３１ａに挿通され且つ保持装置５のナット部５３１ｎに螺合されるネジ部６１と、このネジ部６１の一端側に設けた把持して操作可能な操作グリップ６２とを具備している。
【００３１】
背もたれ７は、当該背もたれ７に掛かる荷重を均等に支持する構造部材としての役割を担い第１フレーム１の背もたれ支持部１３に支持される図示しない背シェルと、背シェルの前方に設けられる図示しない背クッション材と、この背クッション材を被覆する背カバー材７１とを具備する。
【００３２】
以下、椅子Ｃの使用方法を具体的に説明する。
【００３３】
まず、補助座４を隣接保持位置（Ｐ１）に保持している保持装置５を、離間保持位置（Ｐ２）に移動させるため、操作部６の操作グリップ６２を操作して、保持装置５のナット部５３１ｎに緊締されているネジ部６１を緩める。そして、保持装置５をスライド支持部３３にスライドさせながら使用端側に引出し、補助座４を隣接保持位置（Ｐ１）に位置付ける。すると、補助座４と座本体３とは離間する位置に配されるので、操作部６の操作グリップ６２を操作して、保持装置５のナット部５３１ｎに緊締されるようにネジ部６１を締め付ける。
【００３４】
このように、補助座４を離間保持位置（Ｐ２）に位置付けられ、また、補助座４の座面と座本体３の座面とが面一状態（Ｓ１）にあれば、例えば、片足立膝で立膝をしていない方の伸ばした足を補助座４で支持されていれば快適であるとする使用者の座姿勢や、両足立膝で両足が補助座４に支持されていれば快適であるとする使用者の座姿勢や、両足胡坐で両足のくるぶし等が補助座４で支持されていれば快適であるとする使用者の座姿勢など、通常の座姿勢以外の座姿勢を使用者が取った場合でも、その座姿勢が快適であると感じさせることができる。
【００３５】
このとき、面一状態（Ｓ１）にある補助座４を、前上がり状態（Ｓ２）にすれば、補助座４の先端側から足が脱落するといった不具合を防止し、補助座４に載せた足を安定保持できる。
【００３６】
また、離間保持位置（Ｐ２）にある補助座４と座本体３とを平面視すれば、中間座５５が補助座４と座本体３との間で露出する状態になっているため、例えば、片足立膝の立膝している方の足が、補助座４と座本体３との間に嵌まり込んだとしても、中間座５５がその足を支持するので、足が床に着いてしまうといった不具合を防止することができる。
【００３７】
一方、補助座４を隣接保持位置（Ｐ１）に位置付け、且つ、面一状態（Ｓ１）にして使用すれば、座本体と補助座とが分離していない一般的な椅子と同様に使用できるので、補助座４が邪魔になることなく、通常の座姿勢に対応して快適に使用できる。なお、この場合でも、補助座４を前上り状態にして、例えば、この補助座４で正座した膝を保持するといった、通常の座姿勢以外の座姿勢にも対応することができる。
【００３８】
このように、本実施形態に係る椅子Ｃによれば、例えば、通常の座姿勢の際には、補助座４を隣接保持位置（Ｐ１）に位置付ければこの補助座４が邪魔にならずに使用でき、また、胡坐や片足胡坐の座姿勢の際には、補助座４を離間保持位置（Ｐ２）に位置付ければ、補助座４がくるぶしや足の裏等を支えるので、快適に座れて使用感が良い。
【００３９】
すなわち、様々な着座姿勢に対応して快適に着座可能な椅子Ｃを提供することができる。
【００４０】
前記座本体３側に、前記保持装置５を前後方向にスライド移動可能に支持するスライド支持部３３を設け、前記保持装置５をこのスライド支持部３３にスライドさせることにより、前記隣接保持位置（Ｐ１）または離間保持位置（Ｐ２）に位置付けるようにしているので、簡単な構成でありながらもスムーズに保持装置５を隣接保持位置（Ｐ１）または離間保持位置（Ｐ２）に位置付けることができる。
【００４１】
保持装置５が、前記補助座４を回動可能に支持する回動支持部Ｘを具備し、前記補助座４を回動支持部Ｘに回動させることにより、前記補助座４が、その座面と座本体３の座面とが略面一となる面一状態（Ｓ１）又は当該補助座４の先端側が起き上がった前上がり状態（Ｓ２）を取るようにしているので、補助座４に載せた足を安定保持できる。
【００４２】
また、前記回動支持部Ｘが、前記面一状態（Ｓ１）にある補助座４を、前記前上がり状態（Ｓ２）を取る向きに回動することを許容する一方、その反対の向きに回動することを許容しないものとしているので、補助座４の先端側から足が脱落するといった不具合を防止することができる。
【００４３】
前記補助座４が、硬さの異なる２種類のクッション材４１ａ、４１ｂとこれらクッション材４１ａ、４１ｂを支持する基体４２とを具備し、２種類のクッション材４１ａ、４１ｂのうち硬い方のクッション材４１ａを基体４２の上に配し、軟らかい方のクッション材４１ｂを硬い方のクッション材４１ａの上に配しているので、例えば、柔らかい方のクッション材４１ａ、４１ｂが当該柔らかい方のクッション材４１ａ、４１ｂに落ち込んだくるぶしを保持し、また、硬い方のクッション材４１ａがくるぶしで基体４２に当接したことを感じるといった底着感を防止するので、好適な着座感を得られる。
【００４４】
また、前記補助座４を、下端側を部分円弧状に湾曲させた、断面視略かまぼこ形状にしているので、くるぶしや踵等の形状と対応して、これらを好適に支持することができる。
【００４５】
前記離間保持位置（Ｐ２）に位置付けた補助座４と前記座本体３とを平面視した際に、これら補助座４と座本体３との間に配される中間座５５を前記保持装置５に設けているので、離間保持位置（Ｐ２）に位置付けた補助座４と座本体３との間に足が入り込むような座姿勢を取っても、中間座５５がその足を支持するので、例えば、足が床に着いてしまうといった不具合を防止することができる。
【００４６】
また、比較的弾力性のある素材で形成した上側座本体３２を、当該座本体３の前端側では薄く、後端側では厚くなるように構成しているため、例えば、座本体３の後端側では臀部が好適に沈み込む等といった、座ったときの体重分布と対応し、非常に座り心地が良い。
【００４７】
なお、本発明は、以上に詳述した実施形態に限られるものではない。
【００４８】
例えば、保持装置５を、下側座本体３１に設けたスライド支持部３３にスライド移動に支持させているが、脚側に設けたスライド支持部３３に支持させても良い。また、この保持装置５を、離間保持位置（Ｐ２）及び隣接保持位置（Ｐ１）間でスライド移動させるに限らず、回動させるように移動させても良い。
【００４９】
また、保持装置５の形状及び、スライド支持部３３の形状及び構成も本実施形態のものに限られない。
【００５０】
また、補助座４の形状及び構成も本実施形態のものに限られない。
【００５１】
また、第１フレーム１及び第２フレーム２の一部を利用して、脚部や背もたれ支持部１３や肘掛部２２を構成しているが、これら各部をそれぞれ独立した部材で構成する等、これら各部の構成は実施態様に応じて適宜変更可能である。
【００５２】
さらに、背もたれ７及び座本体３の形状及び構成も本実施形態に限られない。例えば、座本体３を、下側座本体３１と上側座本体３２とで構成しているが、これらが一体のものであってもよい。
【００５３】
その他、各部の具体的構成についても上記実施形態に限られるものではなく、本発明の趣旨を逸脱しない範囲で種々変形が可能である。
【図面の簡単な説明】
【００５４】
【図１】本発明の一実施形態に係る椅子を示す全体斜視図。
【図２】同実施形態における椅子の正面図、側面図。
【図３】同実施形態における保持装置を示す斜視図。
【図４】同実施形態における要部拡大図。
【図５】同実施形態における補助座の構造断面図。
【符号の説明】
【００５５】
Ｃ・・・・・・椅子
３・・・・・・座本体
３ａ・・・・・座本体３の座面
４・・・・・・補助座
４ａ・・・・・補助座４の座面
５・・・・・・保持装置
３３・・・・・スライド支持部
４１ａ・・・・硬い方のクッション材
４１ｂ・・・・軟らかい方のクッション材
４２・・・・・基体
５５・・・・・中間座
（Ｓ１）・・・面一状態
（Ｓ２）・・・前上がり状態
（Ｐ１）・・・隣接保持位置
（Ｐ２）・・・離間保持位置
Ｘ・・・・・・回動支持部
【図１】
2006149954.tif 000003
【図２】
2006149954.tif 000004
【図３】
2006149954.tif 000005
【図４】
2006149954.tif 000006
【図５】
2006149954.tif 000007